Podtech/llm-jp-corpus-v4-ja_patent huggingface dataset:
(57)【要約】【課題】断水により使用できなくなった水洗トイレを、簡易的に使用可能にする。【解決手段】本考案は、水洗トイレ便器に篭状の受具Ａを設置し、排泄毎に受具Ａに使い捨ての回収袋Ｂを取り付けて、排泄物を回収にすることにより、断水時の水洗トイレを使用可能にするものである。【選択図】図２
0003108426.tif 000002
【実用新案登録請求の範囲】
【請求項１】
トイレ便器本体に取り付ける受具と、排泄毎に受具に取り付ける袋を使用する事により、断水時に水洗トイレの使用を可能にする排泄物回収セット。
【請求項２】
トイレ便器本体に取り付ける受具と、排泄毎に受具に取り付ける生分解性フィルム製の袋を使用する事により、断水時に水洗トイレの使用を可能にする排泄物回収セット。
【考案の詳細な説明】
【技術分野】
【０００１】  本考案は、トイレ便器に取り付ける受具と、排泄毎に受具に取り付ける回収袋の使用により、断水時に水洗トイレの使用を可能にする、排泄物回収セットに関するものである。
【技術背景】
【０００２】  地震等の災害時には断水により水洗トイレの使用が不可能になり、避難所等においては仮設トイレを設置していた。
【考案の開示】
【考案が解決しようとする課題】
【０００３】  仮設トイレの設置には相当の労力と時間が必要であり、広域災害時には公的支援の遅れの中、疲労困憊した被災者が、それらの作業をしなければならない。また、平時におけるそれら資材の保管を含め莫大な費用が必要である。本考案は既設の水洗トイレを簡易的に使用可能にすることにより前述の欠点を解決しようとするものである。
【課題を解決するための手段】
【０００４】  本考案は、水洗トイレ便器に受具を設置し、排泄毎に受具に使い捨ての回収袋を取り付けて排泄物を回収することにより、断水時に既設の水洗トイレを使用可能にする。
【考案の効果】
【０００５】  上述の作業は被災者自身ができる簡単な作業であり、公的な支援を待たずとも即時に既設の水洗トイレの使用を可能にし、平時の保管を含めコストは最小限となる。さらに、一般家庭の水洗トイレも同様に使用可能になれば、避難所に避難する世帯数も激減し、被災者の生活の質向上と支援者の負担軽減が期待できる。また、便器に受具が取り付けられている間は、使用者に対し「断水中であるため通常の使用はできない。」という警告になるため、排泄物が山のように溜まってしまうことも予防できる。
【考案を実施するための最良の形態】
【０００６】  便器本体に取り付ける受具は、篭状の受部と左右に張り出たアーム部からなり、便器と便座の間にアーム部分を挟みこむことにより固定する。小便時にはそのまま使用するが受具は篭状であるので小便はそのまま通過する。大便時には生分解性フィルム製の回収袋を受具に取り付け、大便を回収する。回収したものは土中への埋設が可能であるが、１ケ所にまとめ、公的な処理を待ってもいい。受具も最終処分を考慮して生分解性プラスチックにより製作するのが最良である。
【実施例】
【０００７】  以下、添付図面に従って一実施例を説明する。Ａは受具であり受部ａ１とアーム部ａ２からなり、アーム部を便器と便座の間に挟みこむことにより固定する。Ｂは排泄物を回収するための回収袋である。
【図面の簡単な説明】
【０００８】
【図１】本考案の実施例を示す斜視図である。
【図２】本考案の設置図である。
【符号の説明】
【０００９】  Ａ    受具
ａ１  受部
ａ２  アーム部
Ｂ    回収袋
【図１】
0003108426.tif 000003
【図２】
0003108426.tif 000004
(57)【要約】【課題】  レバーがドアから脱落するのを防止する。【解決手段】  一方のレバーに一方の丸座を回動自在に連結し、一方の丸座に連結した円板におねじを螺刻し、他方のレバーに他方の丸座を回動自在に連結し、他方の丸座にめねじを螺刻し、他方の丸座に螺刻しためねじを円板のおねじに螺合したことを特徴とする。【選択図】  図４
0003108425.tif 000002
【実用新案登録請求の範囲】
【請求項１】
一方のレバー（１）に一方の丸座（２）を回動自在に連結し、一方の丸座（２）に連結した円板（８）におねじ（８ｂ）を螺刻し、他方のレバー（４）に他方の丸座（５）を回動自在に連結し、他方の丸座（５）にめねじ（５ｂ）を螺刻し、他方の丸座（５）に螺刻しためねじ（５ｂ）を円板（８）のおねじ（８ｂ）に螺合したことを特徴とするレバーハンドル。
【請求項２】
一方のレバー（１）に一方の丸座（２）を回動自在に連結し、一方の丸座（２）にめねじ筒（３）を固定し、おねじ（８ｂ）を螺刻した円板（８）をめねじ筒（３）に結合し、他方のレバー（４）に他方の丸座（５）を回動自在に連結し、他方の丸座（５）にめねじ（５ｂ）を螺刻し、他方の丸座（５）に螺刻しためねじ（５ｂ）を円板（８）のおねじ（８ｂ）に螺合したことを特徴とするレバーハンドル。
【考案の詳細な説明】
【技術分野】
【０００１】  本考案はドアに取り付けるレバーハンドルに関するものである。
【背景技術】
【０００２】  従来は、ドアに孔をあけてドアの外方及び内方からレバーハンドルを挿入して、２本のレバーをドアに取り付けていた。
【考案が解決しようとする課題】
【０００３】  従来は、ドアの作動中にレバーの止めがゆるんで、レバーがドアから抜けるおそれがあった。
【課題を解決するための手段】
【０００４】  本考案の請求項１に係るレバーハンドルは、一方のレバーに一方の丸座を回動自在に連結し、一方の丸座に連結した円板におねじを螺刻し、他方のレバーに他方の丸座を回動自在に連結し、他方の丸座にめねじを螺刻し、他方の丸座に螺刻しためねじを円板のおねじに螺合したことを特徴とする。
本考案の請求項２に係るレバーハンドルは、一方のレバーに一方の丸座を回動自在に連結し、一方の丸座にめねじ筒を固定し、おねじを螺刻した円板をめねじ筒に結合し、他方のレバーに他方の丸座を回動自在に連結し、他方の丸座にめねじを螺刻し、他方の丸座に螺刻しためねじを円板のおねじに螺合したことを特徴とする。
【考案の効果】
【０００５】  本考案は、円板８におねじ８ｂを螺刻し、この円板８を一方の丸座２に連結し、他方の丸座５にめねじ５ｂを螺刻し、おねじ８ｂをめねじ５ａに螺合したので、レバーがドアから脱落することがない。
【考案を実施するための最良の形態】
【０００６】  本考案は、実用新案登録請求の範囲及び段落［０００４］に記載されたとおりの構成を有することにより段落［０００５］に記載された効果を奏するものであり、その実施例は段落［０００７］以下に述べるとおりである。
【実施例】
【０００７】  以下、本考案の一実施例を添付図面について説明する。
図１において、一方のレバー１と一方の丸座２とは回動自在に連結されている。丸座２に２本のめねじ筒３、３が固定されている。めねじ筒３にはめねじが螺刻されている。一方のレバーの一方の丸座との連接部は段部になっていて、小径部１ａが形成されている。一方のレバー１には断面四角形の穴１ｂが穿設されており、小径部１ａにはスプリングピンＰ用の孔１ｃが設けられている。スプリングピンＰは芯棒（後述）を小径部１ａに固定するのに役立つ。
符号６は、小径部１ａに嵌挿され、丸座２の回転をスムースにするための丸リングであり、符号７は、丸リング６の外側に嵌挿され、丸リング６が抜け出るのを防止する抜け止めリングである。【０００８】  図２において、他方のレバー４と他方の丸座５とは回動自在に連結されている。他方のレバー４と他方の丸座５との連接部は段部になっていて、小径部４ａが形成されている。他方のレバー４には断面四角形の穴４ｂが穿設されている。
他方の丸座５には円板（後述）を収容する凹部５ａが形成されている。凹部５ａの小径部の内側にはめねじ５ｂが螺刻されている。
符号６は丸リング、符号７は抜け止めリングである。【０００９】  図３−１及び図３−２は円板８を示す。円板８には短円筒状突起８ａが形成されており、短円筒状突起８ａの外周にはおねじ８ｂが螺刻されている。円板８には２個の皿穴８ｃが設けられている。符号９は円板８をめねじ筒３に固着するねじである。【００１０】  図４は本考案に係るレバーハンドルの組立図である。
本考案のレバーハンドルを組立てる順序は次のとおりである。
ドアＤにめねじ筒３及び芯棒１０を貫通させるための孔をあける。一方のレバー１に設けた穴１ｂ内に芯棒１０を挿入し、孔１ｃにスプリングピンＰを打ち込んでレバー１と芯棒１０を結合する。次に、ドアＤにあけた孔にめねじ筒３及び芯棒１０を挿入して、一方の丸座２をドアＤの面に押し当てる。続いてねじ９により円板８をめねじ筒３に結合する。最後に、他方の丸座５を、円板８の短円筒状突起８ａの外周に螺刻したおねじ８ｂにねじ込むことによりレバーハンドルはドアＤに強固に固定される。
【図面の簡単な説明】
【００１１】
【図１】  本考案の実施例の一方のレバーを示す正面図である。
【図２】  本考案の実施例の他方のレバーを示す正面図である。
【図３−１】  本考案の実施例の円板を示す側面図である。
【図３−２】  本考案の実施例の円板を示す正面図である。
【図４】  本考案の実施例のレバーハンドルの組立図である。
【符号の説明】
【００１２】１  一方のレバー
２  一方の丸座
４  他方のレバー
５  他方の丸座
５ｂ  めねじ
８  円板
８ｂ  おねじ
【図１】
0003108425.tif 000003
【図２】
0003108425.tif 000004
【図３−１】
0003108425.tif 000005
【図３−２】
0003108425.tif 000006
【図４】
0003108425.tif 000007
(57)【要約】【課題】手提げかばんを地面に直接置いて、手提げかばんの表面が汚れたり、傷ついたり、水がかばん内部浸入しない構造を得る。【解決手段】布又は革で構成される手提げかばん１は、手提げかばん１外側の底面部２全体とそれに繋がる側面部３にエラストマーシートを貼着する事により、地面に直接おいても布又は革が汚れたり、傷ついたり、内部に水が浸入することを防止する構造である。【選択図】図３
0003108427.tif 000002
【実用新案登録請求の範囲】
【請求項１】
布又は革材で作られるかばんの外側の底面部２全体及び底面部２に繋がる側面部３に、エラストマーで構成されるシートを貼着してなる手提げかばん１。
【考案の詳細な説明】
【技術分野】
【０００１】  本考案は、布又は革を縫製して作られた手提げかばん１の外側底面部２全体及び底面部２に繋がる側面部３に、エラストマーシートを貼着することにより、手提げかばん１を直接地面においても水に濡れて布や革が汚れたり傷ついたりすることもなく、手提げかばん１内部も水に濡れることのない構造の手提げかばん１に関するものである。
【背景技術】
【０００２】  従来、地面に直接置けるかばんの構造としては、底面にキャスターをつけた大型のかばんであったり、樹脂製で作られた脚を数箇所取り付けた構造であり、手提げかばん１の大きさでは、金具のついたキャスターは重すぎて実用的に無理があり、樹脂製の脚では部分的な接地であるためどうしても手提げかばん１に使用される布とか革が汚れたり、傷ついたり、濡れたりする問題点を有していた。
【考案が解決しようとする課題】
【０００３】  本考案では、布や革で作られた手提げかばん１を直接地面に置いた場合、地面の状態によっては水に濡れて手提げかばん１に使用される素材が汚れたり，傷ついてしまう問題点を解決する手提げかばん１を提供しようとするものである。
【課題を解決するための手段】
【０００４】上記問題点を解決するため、本考案における手提げかばん１の構造としては、素材が布又は革で手提げかばん１の底面は平滑な形状であって、外側底面部２全体にエラストマーで構成されシートを貼着する事により、手提げかばん１の素材が直接地面に触れることなく安定して置く事ができ、素材自体が濡れたり、傷ついたり、汚れたりする事が無い構造である。
【０００５】  また、手提げかばん１の外側底面部２全体に貼着されたエラストマーシートに繋がるように、側面の一定の高さまでエラストマーシートを貼着する事により、手提げかばん１の底面だけでなく地面に近い側面部３からの水濡れや汚れ、傷つき等の防止も可能な構造である。
【考案を実施するための最良の形態】
【０００６】  本考案の実施の形態について図面に基づいて説明すると、図１において底面部２及び側面部３は、天然ゴムと合成ゴムで構成される加硫ゴムシートをもちいて、手提げかばん１の底面部２形状及び側面部３形状ににあわせて裁断し、ウレタン系又はクロロプレン系の処理剤及び接着剤を塗布して、手提げかばん１の素材である布又は革と貼着けして構成する場合と、底面部２は加硫ゴムシートをもちいて側面部３は未加硫ゴムシートをもちいて裁断し、ラテックス系接着剤または加硫可能な溶剤系接着剤で貼着後、加硫缶で温度１２０〜１３０℃で６０〜８０分加硫して構成する場合と、底面部２及び側面部３に未加硫ゴムシートをもちいて裁断し、ラテックス系接着剤または加硫可能な溶剤系接着剤で貼着後、上記内容と同じ条件で加硫成型する場合がある。【０００７】  また、図１、図２、図３において、底面部２及び側面部３のエラストマーの材質は、ゴム以外にウレタン、ＥＶＡ、ＴＰＲ等で構成されるシートが使用可能であり、軽量化が必要な場合は、ゴムスポンヂシート、ＥＶＡスポンヂシート、ウレタンスポンヂシートを使用して構成することも可能である。【０００８】  さらには、図１において、底面部２の表面意匠についても例えばシューズのアウトソールの表面意匠にすれば、防滑性等の機能も付与できる。側面部３の表面意匠についても、無地だけでなく梨地等の凹凸意匠も可能であり、色彩も自由に着色可能である。
【考案の効果】
【０００９】  本考案は、上述のとおり構成されているので、次に記載する効果を奏する。
【００１０】  本考案における手提げかばん１においては、手提げかばん１の外側の底面部２全体及び側面部３にエラストマーシートを貼着しているので、地面に直接置いても布又は革で構成される手提げかばん１の表面を汚したり、傷つけない構造となっている。
【００１１】  本考案における底面部２全体及び側面部３が泥等で汚れても、布のように中まで汚れなくエラストマーシート表面だけの汚れなので、エラストマーシート表面を水拭きすれば簡単に汚れは除去可能である。
【００１２】  さらには、手提げかばん１の外側の底面部２全体に繋がる側面部３が一体となるエラストマーシートで構成される構造であるため、地面からの水濡れにより手提げかばん１の内側に水が浸入せず、直接地面に置くことができる。
【図面の簡単な説明】
【図１】  底面部と側面部にエラストマーシートを貼着した手提げかばんの正面図
【図２】  図１の斜視図
【図３】  図２のＡ−Ｂ線断面図
【符号の説明】
１  手提げかばん
２  底面部
３  側面部
【図１】
0003108427.tif 000003
【図２】
0003108427.tif 000004
【図３】
0003108427.tif 000005
(57)【要約】      （修正有）【課題】広告用チラシ等に剥離可能に接着しているはがきを返信する場合、はがきの秘匿したい箇所を簡単に秘匿出来るようにしたはがき付き印刷物、及びはがきを提供すること。【解決手段】はがきの一方の縦側辺部に印刷用紙１に剥離可能に接着する接着部３が設けられ、当該縦側辺部と接着部との間にはミシン目４が設けられていることからなる返信用はがき付き印刷物において、当該はがきが、はがき本体２と、はがき本体の周囲の所定の箇所に剥離可能に秘匿シール６が接着されている台紙部とからなり、はがき本体と台紙部との間にはミシン目が設けられていることからなる。【選択図】図１ａ
0003108429.tif 000002
【実用新案登録請求の範囲】
【請求項１】
はがきの一方の縦側辺部に印刷用紙（１）に剥離可能に接着する接着部（３）が設けられ、当該縦側辺部と接着部（３）との間にはミシン目（４）が設けられていることからなる返信用はがき付き印刷物において、
当該はがきが、はがき本体（２）と、はがき本体（２）の周囲の所定の箇所に設けられている秘匿シール部（６）とからなり、当該秘匿シール部（６）は上の紙（９）と下の紙（８）とからなり、当該下の紙（８）の上面には剥離可能な接着剤が塗布され、当該上の紙（９）は下の紙（８）の上面に貼着されていることを特徴とする秘匿シール部を有する返信用はがき付き印刷物。
【考案の詳細な説明】
【技術分野】
【０００１】
本考案は、秘匿シール部を有する返信用はがき付き印刷物に関する。
【背景技術】
【０００２】
従来、はがきの右、又は左側の縦側辺部に剥離可能に接着する接着部が設けられ、当該接着部が広告用チラシ等の所定の箇所に接着され、この接着部を剥がすことにより簡単に広告用チラシ等からはがきを剥がすことが出来る技術があった。又はがきと接着部との間にはミシン目が設けられ、このミシン目によりはがきを接着部から切り離すことが出来るようになっていた。
【考案の開示】
【考案が解決しようとする課題】
【０００３】
しかし、従来技術では広告等にはがきが剥離可能に接着されていても、はがきの内容等を秘匿するシール等は有しておらず、したがって秘匿したい箇所があっても秘匿せずはがきを返信するということが行われていた。
【０００４】
そこで、本考案の目的は、広告用チラシ等に剥離可能に接着しているはがきを返信する場合、はがきの秘匿したい箇所を簡単に秘匿出来るようにしたはがき付き印刷物を提供することを目的とする。
【課題を解決するための手段】
【０００５】
前記目的を達成するため、本考案の秘匿シール部を有する返信用はがき付き印刷物は、
はがきの一方の縦側辺部に印刷用紙に剥離可能に接着する接着部が設けられ、当該縦側辺部と接着部との間にはミシン目が設けられていることからなる返信用はがき付き印刷物において、
当該はがきが、はがき本体と、はがき本体の周囲の所定の箇所に設けられている秘匿シール部とからなり、当該秘匿シール部は上の紙と下の紙とからなり、当該下の紙の上面には剥離可能な接着剤が塗布され、当該上の紙は下の紙の上面に貼着されていることからなる。
【考案の効果】
【０００６】
本考案は以上の構成を有するので、はがきの秘匿したい箇所を手間をかけずに簡単に秘匿出来、かつ個人情報の保護にも適するものである。
【考案を実施するための最良の形態】
【０００７】
本考案の実施の形態の一例を図面にしたがって説明する。
【０００８】
図１ａは印刷物に秘匿シール部６を有する返信用はがき付き印刷物が剥離可能に接着している状態を示している。
印刷物には広告用チラシ又はある機関、組合、団体等がその構成員にアンケート用紙等何等かの回答を要求する返信用はがき付き印刷物等がある。
【０００９】
はがき本体２と秘匿シール部６の下の紙８は１枚の紙で作成されており、秘匿シール部６の下の紙８の上面は剥離可能な接着剤が塗布されている。上の紙９は剥離紙等であり、下の紙８と剥離可能に接着するようになっている。上の紙９には左の上の角に上の紙を剥がしやすくするため剥がし部１０が設けられている。図では左の上になっているが右の上でも左の下、右の下等剥がしやすい箇所ならどこでも良い。
【００１０】
はがき本体２と秘匿シール部６は印刷用紙１と接着していない。又、接着部３に示されている図面符号５は穴であるが、場合により穴５を設けなくても良い。はがき本体２の上面には差出人の住所、氏名、性別、年令及びアンケートの内容等必要事項が記載されている。
【００１１】
図１ｂは秘匿シール部６の下の紙８から上の紙９を剥がす状態を示している図である。上の紙９から剥がされた下の紙８がはがき本体２の秘匿したい箇所に接着しやすいようにはがき本体２と下の紙８に重なり部１１，１２が設けられている。
図１ｃは上の紙９を下の紙８から剥がして、はがき本体２の秘匿したい箇所に下の紙８を接着する状態を示している図である。下の紙８は折り線７を基にして矢印方向に折り、秘匿したい箇所に剥離可能に接着するものである。又折り線７はミシン目が入っていないが場合によりミシン目が入っても良い。
図１ｄは、はがき本体２を印刷用紙１から剥がす状態を示している。はがき本体２の下面が示されているが、当該下面には宛先（送信先）の住所、名称、担当の係等が記載されている。
図１ｅは、印刷用紙１からはがき本体２を剥がし、さらにはがき本体２から接着部３をミシン目４に沿って切り取った状態を示している。又、接着部３は、はがき本体２を切り離すことが出来れば良いので印刷用紙１と剥離不能に接着していても良いが剥離可能にしている方がより好適である。
【００１２】
本考案の使用の形態として、印刷用紙に接着して使用するだけでなく、本に綴じて使用することも出来るものである。
ここで、本に綴じる綴じ方としては、無線綴じ、その他の綴じ方があるが、無線綴じが好適である。
又、本考案において印刷物及びはがき等の空白の部分には広告等必要な事項を印刷するものである。
【図面の簡単な説明】
【００１３】
【図１ａ】印刷物に秘匿シール部を有する返信用はがき付き印刷物が剥離可能に接着している状態を示す図である。
【図１ｂ】秘匿シール部の下の紙から上の紙を剥がす状態を示している図である。
【図１ｃ】上の紙を下の紙から剥がしてはがき本体の秘匿したい箇所に下の紙を接着する状態を示す図である。
【図１ｄ】はがき本体と接着部を印刷用紙から剥がそうとする状態を示す図である。
【図１ｅ】印刷用紙からはがき本体を剥がし、さらにはがき本体から接着部をミシン目に沿って切り取った状態を示す図である。
【符号の説明】
【００１４】
１            印刷用紙
２            はがき本体
３            接着部
４            ミシン目
５            穴
６            秘匿シール部
７            折り線
８            下の紙
９            上の紙
１０            剥がし部
１１，１２      重なり部
【図１ａ】
0003108429.tif 000003
【図１ｂ】
0003108429.tif 000004
【図１ｃ】
0003108429.tif 000005
【図１ｄ】
0003108429.tif 000006
【図１ｅ】
0003108429.tif 000007
(57)【要約】      （修正有）【課題】装着が簡単でコスト節約効果のある玉網の網固定構造の提供。【解決手段】本考案の玉網の網固定構造は、主に、フレーム１、網３、固定ジョイント４及び握り柄５を含み、そのうち、フレーム１は管状を呈し、その側辺に開口槽１０を備え、フレーム内側に固定棒２を設置し、且つ、固定棒２の直径は開口槽１０の幅よりやや大きいことを特徴とし、固定棒を交錯させて網辺縁の網目に通し、さらに固定棒２を玉網と共にフレーム内に挿入し、玉網を開口槽１０から外側へ延伸して出すだけで玉網の装着が完了する。【選択図】図１
0003108476.tif 000002
【実用新案登録請求の範囲】
【請求項１】
フレーム、網、固定ジョイント及び握り柄を含み、そのうち、該フレームは管状を呈し、その側辺に開口槽を設け、該フレーム内側に固定棒が設置され、且つ、該固定棒の直径は開口槽の幅よりやや大きく、該固定棒を交錯させて網辺縁の網目に穿通し、さらに該固定棒を網と共にフレームの一端からその内側へ挿入し、該網を開口槽から外方向へ延伸して出すことを特徴とする、玉網の網固定構造。
【考案の詳細な説明】
【技術分野】
【０００１】
本考案は、玉網の網固定構造に関し、特に、装着が簡単でコスト節約効果のある玉網の網固定構造に関する。
【背景技術】
【０００２】
図５に示すように、従来の玉網は、主に握り柄aと、該握り柄a前端に設置された固定ジョイントb、該固定ジョイントbの両側に嵌置して設けたフレームcを含み、且つ、該フレームcは固定ジョイントb前方で１つの範囲を囲んで形成し、さらに網dの辺縁を該フレームc上にかけて覆い、線材eを使って該フレームcの外縁部を螺旋状に径方向に巻き進み、且つ、該線材eを一巻きさせるごとに網d辺縁部分の網目に通して該網dの辺縁とフレームcを固定し、その後、該フレームcよりやや太く、同等の長さのプラスチックカバー管f側面に縱方向に開口槽f1を設け、プラスチック材の弾性を利用して網dの辺縁、フレームc及び線材eを該開口槽f1からプラスチックカバー管f内に挿入し、該プラスチックカバー管fを該フレームc及び網dの辺縁の外縁部に被せ、該プラスチックカバー管fの保護により、魚等をすくうとき、脆弱な網dの辺縁及び線材が、硬い岩石や地面と摩擦を起こし破損するのを防止する構造のものが一般的である。
【０００３】
上述の構造により、使用者が握り柄を握ってフレーム及び玉網で魚をすくったり、または上から下へ魚をフレームが囲む範囲の内側に入れてフレーム下方の網の中に魚を取り込んだりして使用する。
【０００４】
しかしながら、従来の玉網のフレームは線材を巻きつけて網とフレームを一緒に固定しており、網とフレームを共に固定した後さらにプラスチックカバー管をフレーム及び網の辺縁に被せる必要があるため、従来の玉網のフレームは網を装着する作業が非常に困難であり、且つ、その製造と材料のコストも高く、市場競争力の低下を招き、メーカ及び消費者にとって大きな負担となっている。
【考案の開示】
【考案が解決しようとする課題】
【０００５】
本考案は、上述の従来の玉網構造の欠点に鑑みて、考案者の該項事業における長年の経験に基づき研究を重ね、斬新な玉網の網固定構造を提供するものである。
【０００６】
本考案の主な目的は、装着が簡単でコスト節約効果のある玉網の網固定構造を提供することにある。  
【課題を解決するための手段】
【０００７】
上述の目的を達するため、本考案の玉網の網固定構造は、主に、フレーム、網、固定ジョイント及び握り柄を含み、そのうち、該フレームは管状を呈し、その側辺に開口槽を備え、該フレーム内側に固定棒を設置し、且つ、該固定棒の直径は該開口槽の幅よりやや大きいことを特徴とする。
【０００８】
上述の構造により、本考案の玉網の網固定構造は、前記固定棒を交錯させて網辺縁の網目に穿通し、さらに該固定棒を玉網と共にフレーム内に挿入し、玉網を該開口槽から外側へ延伸して出すだけで玉網の装着が完了し、該玉網の辺縁は固定棒によりフレーム内に固定され、装着が簡単でコスト節約にもつながる。
【考案を実施するための最良の形態】
【０００９】
本考案の構造、装置及びその特徴について、以下、最良の実施例と図面に基づき詳細に説明する。
【００１０】
図１、図２、図３に示すように、本考案の玉網の網固定構造は、主に、フレーム１、網３、固定ジョイント４及び握り柄５を含み、そのうち、該フレーム１は管状を呈し、その側辺に開口槽１０を設け、該フレームの内側に固定棒２が設置され、且つ、該固定棒２の直径は該開口槽１０の幅よりやや大きいことを特徴とする。
【００１１】
図４に示すように、本考案の玉網の網固定構造のうち、該固定棒２は交錯させて網３辺縁の網目に穿通され、さらに、該固定棒２を網３と共にフレーム１の一端からその内側へ挿入し、網３を開口槽１０から外側へ延伸して出し、玉網の装着が完了する。
【００１２】
上述のように、本考案の玉網の網固定構造は、固定棒２により玉網３の辺縁をフレーム１内に固定するため、別途線材で玉網とフレームを一緒に固定する必要がなく、またプラスチックカバーでフレームと玉網辺縁の外側を覆う必要もないため、装着が簡単でコスト節約の効果もある。
【００１３】
上述のように、本考案の玉網の網固定構造は、装着の利便性とコスト節約効果を確実に達成でき、実用性と進歩性を兼ね備えているため、特許法に基づきここに実用新案登録を出願するものである。
【図面の簡単な説明】
【００１４】
【図１】本考案の立体分解図である。
【図２】本考案の局部組み立て図である。
【図３】本考案の局部断面図である。
【図４】本考案の握り柄との連結を示す立体図である。
【図５】従来の玉網の立体図である。
【符号の説明】
【００１５】
１        フレーム
２        固定棒
３        網
４        固定ジョイント
５        握り柄
１０      開口槽
【図１】
0003108476.tif 000003
【図２】
0003108476.tif 000004
【図３】
0003108476.tif 000005
【図４】
0003108476.tif 000006
【図５】
0003108476.tif 000007
(57)【要約】【課題】   雨合羽の脱着を靴を脱がずにできるようにする。【解決手段】靴を脱ぐことなく、簡単に雨合羽を着脱できるようにファスナーとマジックテープ（登録商標）で留めて着るようにした。合羽のズボンの部分についてはコート状の合羽の股下後部を開き、足を前後から巻きつけてファスナーで留め筒状を形成するようにした。足に巻いてファスナーで留めるためズボンをはく際のように靴がじゃまになることがなく、靴を履いたままで容易に着脱ができる。腰より上の部分は股下とは別にファスナーで留めるようにする。腰高部分と首の部分はマジックテープ（登録商標）で留めて雨水の浸入を防ぐ。【選択図】          図１
0003108219.tif 000002
【実用新案登録請求の範囲】
【請求項１】
コート状の雨合羽の股下後部を開き、足の部分を前後で巻きつけてファスナーで留めることによりズボンの筒部分を作る上着とズボンが一体の雨合羽。
【考案の詳細な説明】
【技術分野】
【０００１】
本考案は、バイク・自転車に乗車する際に容易に着脱ができる雨合羽に関するものである。
【背景技術】
【０００２】
従来からの雨合羽は上着部分とズボン部分が分かれているもの、もしくはコート状のものであった。
【０００３】
従来の雨合羽は上着部分とズボン部分と分かれているもの、もしくはコート状のものであるが、コート状の物はバイクで走るにはズボンが濡れるし、上下分かれた物はズボンの脱着時に靴を脱ぐ必要がある。また、上着が合羽からはみ出して濡れてしまうことも多い。そこで靴をいちいち脱がなくても容易に着ることができる雨合羽を考えた。また、雨の中でも短時間に着ることができるようにするため、各部位を探し分ける必要のないよう上下一体の物とした。
【特許文献１】特開２００３−２７３０８
【考案の開示】
【考案が解決しようとする課題】
【０００４】
解決しようとする問題点は、バイク・自転車に乗車する際の合羽の着脱時における靴の脱着を省き、煩わしさを軽減しようとするものである。
【課題を解決するための手段】
【０００５】
合羽を着る際に短時間で着れるよう上着とズボンの探し分けを必要なくし、合羽着脱時に靴を脱がなくてもよく、中の上着も濡れないようにするために、コート状の雨合羽の股下後部を開き、足の部分を前後で巻きつけてファスナーで留めることによりズボンの筒部分を作り上着とズボンが一体のつなぎ状となるようにした。
【考案の効果】
【０００６】
靴を脱ぐことなく、簡単に雨合羽を着脱できるようにファスナーとマジックテープ（登録商標）で留めて着るようにした。股下部分と腰より上の部分を別々にファスナーで留めて着るようにした。股下部分は足を筒に通すのではなく、足を巻いてファスナーで留めるためズボンをはく際のように靴がじゃまになることがなく、靴を履いたままで容易に着脱ができる。腰高部分と首の部分はマジックテープ（登録商標）で留めて雨水の浸入を防ぐ。また、股下部分の後部同士をファスナーで閉めればコート状の雨合羽としても使用できる。  
【考案を実施するための最良の形態】
【０００７】
ズボンの着脱の際はどうしても靴がじゃまになり、靴を脱がなくてはならない。そこで靴を脱ぐことなく、簡単に雨合羽を着脱できるようにファスナーとマジックテープ（登録商標）で留めて着るようにした。合羽のズボンの部分についてはコート状の合羽の股下後部を開き、足を前後から巻きつけてファスナーで留め筒状を形成するようにした。足に巻いてファスナーで留めるためズボンをはく際のように靴がじゃまになることがなく、靴を履いたままで容易に着脱ができる。腰より上の部分は股下とは別にファスナーで留めるようにする。腰高部分と首の部分はマジックテープ（登録商標）で留めて雨水の浸入を防ぐ。
【実施例】
【０００８】
図１は着る前の雨合羽を開いた状態であるが、雨の降る中で着ることもあるため、上着とズボン部分と一体になっており、各部位を探す必要もない。図２は、合羽を着た状態であるが、股下部分と腰より上の部分を別々にファスナーで留めて着るようにした。股下部分は足を筒に通すのではなく、腰高部分と首の部分はマジックテープ（登録商標）で留めて雨水の浸入を防ぐ。また、股下部分の後部同士をファスナーで閉めればコート状の雨合羽としても使用できる。
【図面の簡単な説明】
【０００９】
【図１】着る前の雨合羽を開いた図である。
【図２】着た状態の雨合羽の図である。
【符号の説明】
【００１０】
１  雨合羽
２  ファスナー
３  マジックテープ（登録商標）
【図１】
0003108219.tif 000003
【図２】
0003108219.tif 000004
(57)【要約】【課題】崇拝対象仏は仏壇厨子部空所に安置し外部からの防備もなく塵埃、煙等の侵入から損傷を受けている、又仏壇厨子部の照明は暗く荘厳性を失う。【解決手段】崇拝対象仏を収容する空所を有し、かつ背部開口がある透明箱状体を設け、この箱状体の天板内部に光源装置を設けて成り、この光源装置により崇拝対象仏を照明しかつ荘厳性を高めうる崇拝対象仏保護仏具。【選択図】図１
0003108212.tif 000002
【実用新案登録請求の範囲】
【請求項１】
崇拝対象仏を収容する空所を有し、かつ背部開口がある透明箱状体を設け、この箱状体の天板内部に光源装置を設けて成り、この光源装置により崇拝対象仏を照明しかつ荘厳性を高めうる崇拝対象仏保護仏具。
【請求項２】
前記背部開口を透明箱状体に設けた事を特徴とする請求項１記載の崇拝対象仏保護仏具。
【請求項３】
光源装置は調光器制御器等により色調、光彩を制御することを特徴とする請求項１記載の崇拝対象仏保護仏具。
【請求項４】
前記崇拝対象仏保護仏具は仏壇の一部となりうることを特徴とする請求項１記載の崇拝対象仏保護仏具。
【考案の詳細な説明】
【技術分野】
【０００１】本考案は崇拝対象仏の荘厳性を高めうる崇拝対象仏保護仏具に関する。
【背景技術】
【０００２】従来の崇拝対象仏の保持仏具は、前部に前窓部を具えた箱状の保持仏具からなっており、その空所に前記崇拝対象仏を安置して仏事の行事が行われている。又、安置された崇拝対象仏及びその保持仏具は線香などの煙及び埃による汚損が甚だしく荘厳さを失う。
【考案の開示】
【考案が解決しようとする課題】
【０００３】崇拝対象仏及び保持仏具は塵埃、煙等により、汚損され頻繁な清掃が要求されるので重厚な保持仏具の出し入れは容易でない。【０００４】古来より崇拝対象仏に触れる事を嫌う慣習が有り汚損されても、紙製、布の場合などは清掃が出来ないと言う問題がある。【０００５】又、崇拝対象仏は仏壇最奥部厨子に安置されているため、取り出しは繁雑であり慎重に扱う事が難しく容易ではない。【０００６】前記保持仏具に崇拝対象仏を安置した状態で厨子部からの出し入れを行う事も出来るが前記崇拝対象仏が紙製、又布の場合には損傷を避けるため保護が必要となる。
【課題を解決するための手段】
【０００７】本考案は崇拝対象仏を収容する空所を有し、かつ背部開口がある透明箱状体を設け、この箱状体の天板内部に光源装置を設けて成り、この光源装置により崇拝対象仏を照明し、厨子部空所に崇拝対象仏に触れる事なく出し入れを容易にできること特徴とする崇拝対象仏保護仏具。【０００８】又天板内部からの光源装置を側部、底部に設けることもできる。【０００９】さらに光源装置は調光器により制御する事も出来る。
【考案の効果】
【００１０】前板、両側板、天板、底板からなる透明部材による箱状体を設けて空所と外部とを隔離している。従って空所に安置される崇拝対象仏を塵埃、煙等の侵入から保護が出来、崇拝対象仏の損傷を防止することが出来る。【００１１】又天板内部には光源装置があり調光器による色調、光彩を制御し荘厳さを増大させることが出来る。【００１２】さらに崇拝対象仏を収容する空所を有する透明箱状体は、簡易な透明部材により構成され背部開口があるため仏壇内の前記崇拝対象仏の安置場所で  ある厨子部へ前記崇拝対象仏に触れる事なく容易に設置できる。
【考案を実施するための最良の形態】
【００１３】
【実施例】一実施例を図面に基づき説明する。【００１４】図１において崇拝対象仏保護仏具は崇拝対象仏２を収容する空所Ａを有する透明箱状体３に背部開口部１を配置し、天板内部４に光源装置５を設け、仏壇厨子部空所Ｂから崇拝対象仏保護仏具を出し入れする。【００１５】又崇拝対象仏保護仏具は基板６の上に設置される台座７と、この台座７の上に取り付ける透明箱状体３とからなる。透明箱状体３は上、下に間隔を隔て配置される底板８及び天板９の間に台座７の前縁で立ち上がる前板１０、この前板１０の両側縁後方に向かってのびる一対の側板１１、１１及びこの側板１１の後縁を結びかつ前記開口部１を有するこれらの各板に囲まれた内部には崇拝対象仏２を安置する空所Ａが形成される。【００１６】崇拝対象仏２は仏法において信仰の対象となる。【００１７】光源装置５は本実施例では図３に示すように前記空所Ａに配置した崇拝対象仏２を光源装置５により照明し、さらに調光器１４により色調、光量を制御し崇拝対象仏２の荘厳性を一層高めることが出来る。【００１８】又本実施例では図２に示す如く基板６に添着する磁性板１２と対向し台座７の下部にマグネット等の磁性体１３を設けておりこの磁性体１３の吸引力により崇拝対象仏保護仏具の地震等における揺動での倒れを防止している。【００１９】又前記透明箱状体３は、箱形で形成するほか三角形、六角形、多角形、円筒形状に形成してもよい。さらに仏壇に安置した場合には、仏壇の自動開閉扉と連動させて作動することも可能である。
【産業上の利用可能性】
【００２０】本考案は崇拝対象仏の荘厳性を高めうる崇拝対象仏保護仏具に関する。
【図面の簡単な説明】
【００２１】
【図１】本考案の一実施例を示す斜視図である。
【図２】その分解斜視図である。
【図３】その分解斜視図である。
【図４】本考案の一部を破断した安置部拡大図である。
【図５】本考案の仏壇における着脱背面部斜視図である。
【符号の説明】
【００２２】  １  背部開口
２  崇拝対象仏
３  透明箱状体
４  天板内部
５  光源装置
６  基板
７  台座
８  底板
９  天板
１０  前板
１１  側板
１２  磁性板
１３  磁性体
１４  調光器
Ａ  空所
Ｂ  厨子部空所
【図１】
0003108212.tif 000003
【図２】
0003108212.tif 000004
【図３】
0003108212.tif 000005
【図４】
0003108212.tif 000006
【図５】
0003108212.tif 000007
【手続補正書】
【提出日】平成16年12月8日(2004.12.8)
【手続補正１】
【補正対象書類名】明細書
【補正対象項目名】０００９
【補正方法】変更
【補正の内容】
【０００９】さらに光源装置は調光器により制御することもでき、仏具が置かれる場所例えば、自然光や人工光で明るい場所には前記調光器を制御器でオフにしたり場合によっては光源装置を取り外すこともできる。また背部開口部を閉口部にし崇拝対象物を安置することもできる。また、通気口をつけることもでき、下部に多目的な収納スペースを設けることも出来る。
(57)【要約】【課題】搬送物が、チェーンコンベアのリンクまたはシャックルリンクに詰まり、目詰まりするのを防止する。【解決手段】２条のリンクチェーン２を構成する複数のリンクの互いに対面する位置に、一定間隔を有して、シャックルリンク４を、該シャックルリンク４の２本の取付片５が前記２条のリンクチェーンの内側方向に延設するよう連結すると共に、前記各シャックルリンク４の取付片５にフライト６を固定して形成されたチェーンコンベアＣを搬送用筒体１内に走行自在なるよう装置する。【選択図】図１
0003108220.tif 000002
【実用新案登録請求の範囲】
【請求項１】
２条のリンクチェーンを構成する複数のリンクの互いに対面する位置に、一定間隔を有して、シャックルリンクを、該シャックルリンクの２本の取付片が前記２条のリンクチェーンの内側方向に延設するよう連結すると共に、前記各シャックルリンクの取付片にフライトを固定して形成されたチェーンコンベアを搬送用筒体内に走行自在なるよう装置したことを特徴とするチェーンコンベア装置。
【考案の詳細な説明】
【技術分野】
【０００１】
本考案は、チェーンコンベア装置、特に灰溶融プラント設備、生ごみ処理プラント設備、あるいは産業廃棄物プラント設備等において使用するのに適した搬送用のチェーンコンベア装置に関するものである。
【背景技術】
【０００２】
２条のリンクチェーン間に複数個のフライトを設置して、該リンクチェーンを駆動スプロットおよびガイドローラに掛回したチェーンコンベア装置につき、過去の特許文献を遡及検索した結果、特許文献１に記載した特許第３１９６７８２号に開示されたものが公知である。
【０００３】
【特許文献１】特許第３１９６７８２号公報前記特許文献１に開示された移送装置は、２条のリンクチェーンが走行する走行空間として、補助筒体を筒体の直径方向外側面にそれぞれ突設すると共に、移送体(フライト)と筒体との隙間を小巾に、且つ均一に備えて形成されている。
【考案の開示】
【考案が解決しようとする課題】
【０００４】
前記特許文献１で開示された移送装置においては、構造が複雑で、補助筒体とリンクチェーン間、および移送体(フライト)と筒体間に異物が入り込んだ場合、詰まってしまい、その結果移送装置が停止してしまうという課題があり、また一旦前記異物が詰まると排除するのに手間がかかるという課題があった。
【０００５】
本考案は、前記課題を解決すべくなされたもので、筒体とリンクチェーン間、およびフライトと筒体間の隙間を大きく形成することにより、仮りに異物が前記隙間に入り込んでも、目詰まりを起こすことがなく、チェーンコンベアの走行に支障をきたすことがないチェーンコンベア装置を提供しようとするものである。
【課題を解決するための手段】
【０００６】
本考案は、２条のリンクチェーンを構成する複数のリンクの互いに対面する位置に、一定間隔を有して、シャックルリンクを、該シャックルリンクの２本の取付片が前記２条のリンクチェーンの内側方向に延設するよう連結すると共に、前記各シャックルリンクの取付片にフライトを固定して形成されたチェーンコンベアを搬送用筒体内に走行自在なるよう装置するという手段を採用することにより、上記課題を解決した。
【考案の効果】
【０００７】
本考案チェーンコンベア装置において、搬送物の搬送中に、搬送物がリンクまたはシャックルリンクに詰まったとしても、該リンクまたはシャックルリンクは、楕円環状をなし、隙間が大きく、且つ外周部も曲面を有して形成されているので、チェーンコンベアの走行中に目詰まりした搬送物が脱落して、チェーンコンベアの目詰まりが阻止され、チェーンコンベアの走行に支障を来たすことがない。そして、本考案チェーンコンベア装置は、搬送物の搬送中に、搬送物によるチェーンコンベアの目詰まりが阻止されるので、特に目詰まりし易い灰溶融プラント設備、生ごみ処理プラント設備、あるいは産業廃棄物プラント設備の搬送用コンベアとして使用するのに最適である。
【実施例】
【０００８】
本考案の実施例を図面に基づいて詳細に説明する。図１は、本考案チェーンコンベア装置を横方向に移送するタイプの搬送装置に使用した要部の横断面図、図２は同縦断面図である。図１において、１は搬送用筒体であって、例えば、鋼板により所望長さに形成され、且つ該搬送用筒体１内に２条のリンクチェーン２より成るチェーンコンベアＣが走行自在なるよう装置されている。
【０００９】
前記２条のリンクチェーン２は、多数のリンク３を順次繋いでエンドレスに構成されている。そして、図中、４は、シャックルリンクであって、前記２条のリンクチェーン２を構成する複数のリンク３の互いに対面する位置に、一定間隔を有してシャックルリンクを、該シャックルリンク４の２本の取付片５を、前記２条のリンクチェーン２の内側方向に延設するようにして連結する。
【００１０】
図中、６は、前記リンクチェーン２の走行方向に拡開した翼片７・７´を基板８の両側に突設したフライトであつて、該フライト６の基板８の両端面が前記シャックルリンク４の取付片５間にそれぞれ挟持されて、ボルト９とナット１０とにより連結固定されることにより、複数枚のフライト６を所定間隔を有して２条のリンクチェーン２に連結してチェーンコンベアＣが形成される。
【００１１】
図１、図２に示すように、該チェーンコンベアＣは矢印方向に走行し、フライト３でごみ等の搬送物を前方側へ押圧搬送する。そして、前記搬送物の搬送中に、搬送物がリンク３またはシャックルリンク４に詰まったとしても、該リンク３またはシャックルリンク４は、楕円環状をなし隙間が大きく、且つ外周部も曲面を有して形成されているので、前記チェーンコンベアＣの走行中に目詰まりした搬送物が脱落して、チェーンコンベアＣの目詰まりが阻止される。
【００１２】
また、図３は、前記構成よりなる本考案チェーンコンベアＣを２組、縦型の搬送用筒体１内に装置した例を示す横断面図であり、該チェーンコンベアＣは上下方向に走行し、フライト６にごみ等の搬送物を載置して搬送する。そして、前記搬送物の搬送中に、搬送物がリンク３またはシャックルリンク４に詰まったとしても、該リンク３またはシャックルリンク４は楕円環状をなし隙間が大きく、且つ外周部も曲面を有して形成されているので、前記チェーンコンベアＣの走行中に目詰まりした搬送物が脱落して、チェーンコンベアＣの目詰まりが阻止される。
【図面の簡単な説明】
【００１３】
【図１】本考案チェーンコンベア装置を横方向に移送するタイプの搬送装置に使用した要部の横断面図である。
【図２】同縦断面である。
【図３】本考案チェーンコンベア装置を上下方向に移送するタイプの搬送装置に使用した要部の縦断面図である。
【符号の説明】
【００１４】
Ｃ  チェーンコンベア
１  搬送用筒体
２  リンクチェーン
３  リンク
４  シャックルリンク
５  取付片
６  フライト
７  翼片
８  基板
９  ボルト
１０  ナット
【図１】
0003108220.tif 000003
【図２】
0003108220.tif 000004
【図３】
0003108220.tif 000005
(57)【要約】【課題】地面に凹凸がある場合でも安定して使用することができ、かつ、構造が簡単で極めて安価に製造することができる重量物移動装置を提供する。【解決手段】先端（１ａ）に重量物挟持手段（３）を備えた棒状体（１）を支持部（１７）の上端に上下方向に回動自在に取り付け、該支持部（１７）は下端に３個のキャスター（２３）を水平方向に回動自在に備えていることを特徴とする重量物移動装置。本考案による重量物移動装置は、側溝蓋のみならず、コンクリートブロック、建築材料、庭石等の重量物の移動作業にも使用することができる。【選択図】図１
0003108252.tif 000002
【実用新案登録請求の範囲】
【請求項１】
先端に重量物挟持手段を備えた棒状体を支持部の上端に上下方向に回動自在に取り付け、該支持部は下端に３個のキャスターを水平方向に回動自在に備えていることを特徴とする重量物移動装置。
【考案の詳細な説明】
【技術分野】
【０００１】
本考案は、重量物移動装置に関するものである。本考案による重量物移動装置は、特に、道路等に沿って設けられた小排水路である側溝の清掃等の際に、側溝蓋を側溝に対し着脱・移動するために使用される。なお、本考案による重量物移動装置は、側溝蓋のみならず、コンクリートブロック、建築材料、庭石等の重量物の移動作業にも使用することができる。
【背景技術】
【０００２】
実用新案登録第３０６９７９２号公報は、側溝蓋着脱装置（以下「従来の側溝蓋着脱装置」という。）を開示している。
【０００３】
従来の側溝蓋着脱装置は、平板状体の下面における前後にそれぞれ２個の車輪を備えてなる台車に、屈折したアームの屈折端を上下方向に回動自在に枢着し、該アームの先端に側溝蓋挟持手段を備えてなるものである。
【特許文献１】実用新案登録第３０６９７９２号公報
【考案の開示】
【考案が解決しようとする課題】
【０００４】
しかるに、上記従来の側溝蓋着脱装置は、台車が平板状体の下面における前後にそれぞれ２個の車輪を備えてなるものであるため、側溝近傍の地面に凹凸がある場合には、台車のみならず、側溝蓋着脱装置が不安定になるという問題がある。
【０００５】
本考案は、上記従来の側溝蓋着脱装置における上述の如き問題を解決し、地面に凹凸がある場合でも安定して使用することができる重量物移動装置を提供しようとしてなされたものである。
【課題を解決するための手段】
【０００６】
上記課題を解決するために、本考案は、下記の重量物移動装置を提供する。
【０００７】
先端に重量物挟持手段を備えた棒状体を支持部の上端に上下方向に回動自在に取り付け、該支持部は下端に３個のキャスターを水平方向に回動自在に備えていることを特徴とする重量物移動装置。
【０００８】
［考案の作用］
本考案による重量物移動装置により、例えば側溝蓋を側溝から取り外す際には、棒状体の基端を手に持ち、棒状体の先端の重量物挟持手段に側溝蓋を挟持させた状態で棒状体の基端を押し下げることにより側溝蓋を側溝より持上げ、重量物移動装置を移動させ又は棒状体を水平方向に旋回させて側溝蓋を適宜の場所に移して地上に下ろす。
【０００９】
棒状体を水平方向に旋回させる際には、棒状体を所望の水平方向に押すことにより、下端に３個のキャスターを水平方向に回動自在に備えた支持部が水平方向に回動する。
【００１０】
側溝蓋を側溝における元の位置に戻す際には、上記の手順を逆に行なう。
【００１１】
本考案による重量物移動装置は、コンクリートブロック、建築材料、庭石等の重量物の移動作業についても、上記と同様に行なうことができる。
【考案の効果】
【００１２】
本考案によれば、棒状体を支持する支持部が下端に３個のキャスターを水平方向に回動自在に備えてなるものであるため、地面に凹凸がある場合でも、重量物移動装置は極めて安定し、転倒等のおそれはない。
【００１３】
本考案による重量物移動装置は、構造が簡単であり、極めて安価に製造することができる。
【考案を実施するための最良の形態】
【００１４】
符号１に示すものは棒状体である。図示の事例における棒状体１は、所定の長さの山形鋼により形成されているが、棒状体１はこの事例に限定されるものではない。
【００１５】
符号１ａは棒状体１の先端、符号１ｂは棒状体１の基端である。棒状体１の基端１ｂは使用者が手で把持する部分である。
【００１６】
棒状体１の先端１ａに重量物挟持手段３を備えさせる。重量物挟持手段３は、側溝蓋、コンクリートブロック、建築材料、庭石等の重量物５を取り外し可能に挟持するものである。
【００１７】
重量物挟持手段３は、一例として、棒状体１の先端１ａに左右方向の第一水平棒７を取り付け、該第一水平棒７に環状体９を遊嵌し、該環状体９に前後一対の支持体１１、１１を前後左右方向に揺動自在に支持させ、該支持体９、９には下端を重量物５の方向に略直角に折曲させた重量物支持片１３、１３を相互に対向させた状態で取り付けてなるものである。図示の各重量物挟持片１３は、一対の挟持爪１３’、１３’を備えている。
【００１８】
図示の環状体９は、支持体１１の着脱を可能にするために、開口部９ａを有し、該開口部９ａを開閉する回動片９ｂを備えている。
【００１９】
符号１３ａに示すものは、重量物支持片１３の下端を重量物５の方向に略直角に折曲させてなる折曲部である。
【００２０】
図示の重量物支持片１３は、内面に滑り止め片１５を備えている。
【００２１】
棒状体１は、その中央部よりも先端１ａ寄りの部分にて、支持部１７の上端に上下方向に回動自在に取り付ける。
【００２２】
即ち、一例として、棒状体１における中央部よりも先端１ａ寄りの部分に左右方向の第二水平棒１９を取り付け、支持部１７の上端に備えさせた取付環２１を該第二水平棒１９に遊嵌する。
【００２３】
支持部１７は下端に３個のキャスター２３、２３、２３を水平方向に回動自在に備えている。
【００２４】
図示の事例においては、３個のキャスター２３、２３、２３を基板２５の下面に等角度間隔で取り付け、該基板２５の上面には３本の支持脚２７、２７、２７を立設し、該支持脚２７、２７、２７の上端を集合させて冠状体２９内に固定し、冠状体２９の上面に前記取付環２１を固定している。
【図面の簡単な説明】
【００２５】
【図１】本考案による重量物移動装置の一例を示す斜視図である。
【図２】支持部と棒状体とを示す側面図である。
【図３】棒状体、第二水平棒、取付環等を示す断面図である。
【図４】重量物挟持手段と棒状体とを示す側面図である。
【図５】重量物を重量物挟持手段に挟持させた状態を示す側面図である。
【符号の説明】
【００２６】
１  棒状体
１ａ  先端
１ｂ  基端
３  重量物挟持手段
５  重量物
７  第一水平棒
９  環状体
９ａ  開口部
９ｂ  回動片
１１  支持体
１３  重量物支持片
１３ａ  折曲部
１３’  挟持爪
１５  滑り止め片
１７  支持部
１９  第二水平棒
２１  取付環
２３  キャスター
２５  基板
２７  支持脚
２９  冠状体
【図１】
0003108252.tif 000003
【図２】
0003108252.tif 000004
【図３】
0003108252.tif 000005
【図４】
0003108252.tif 000006
【図５】
0003108252.tif 000007